(57)【要約】【課題】本発明の課題は、印刷に悪影響を与えずに、印刷媒体の任意部分の微小領域の張力分布や変化の速い張力変動を測定する装置を提供することである。【解決手段】光源光を印刷媒体に照射する照射用光ファイバと、印刷媒体からの干渉縞を含む光を受光して、導く受光用光ファイバと、印刷媒体からの光を受光して、干渉縞データを作成して、メモリに記録する分光器と、を備えて、印刷媒体の初期膜厚値と印刷媒体のヤング率とを用いて、干渉縞データから、測定張力値を算出する印刷媒体張力測定装置と、印刷媒体の標準張力値と測定張力値とを比較して、テンションローラ制御データを算出する印刷制御装置と、テンションローラ制御データを取得して、テンションローラを制御するユニット装置と、から構成されることを特徴とする印刷システムである。【選択図】図１
2007246184.tif 000002
【特許請求の範囲】
【請求項１】
印刷媒体張力測定装置と、印刷制御装置と、印刷ユニット装置と、から構成される印刷システムであって、
前記印刷媒体張力測定装置は、
印刷媒体を特定する情報が対応付けられた印刷媒体の初期膜厚値と印刷媒体のヤング率とを含む物性データと、
受光波長情報を対応付けた受光量情報を含む干渉縞データと、
測定張力値と印刷媒体を特定する情報を含む張力データと、
を記憶する記憶手段と、
光源光を、印刷媒体に導いて、照射する照射用光ファイバと、
印刷媒体からの干渉縞を含む光を受光して、印刷媒体張力測定装置まで、導く受光用光ファイバと、
印刷媒体からの光を受光して、干渉縞データを作成して、メモリに記録する分光器と、
印刷媒体を特定する情報の入力を受け付ける手段印刷媒体を特定する情報入力手段と、
入力された印刷媒体を特定する情報を取得して、物性データを参照して、印刷媒体を特定する情報に対応付けられた初期膜厚値とヤング率とを選択して、干渉縞データから、測定張力値を算出する測定張力値算出手段と、
前記算出された測定張力値と印刷媒体を特定する情報を含む張力データを作成して、送信する張力データ作成送信手段と、
を備えた測定装置であって、
前記印刷制御装置は、
印刷媒体を特定する情報と標準張力値を対応付けた標準張力データと、張力データと、テンションローラ制御データと、を記憶する記憶手段と、張力データを、受信する張力データ受信手段と、
張力データの印刷媒体を特定する情報を取得して、標準張力データを参照して、この印刷媒体を特定する情報に対応する標準張力値を選択して、張力データの測定張力値と前記選択した標準張力値とを比較して、テンションローラ制御データを算出するテンションローラ制御データ算出手段と、
テンションローラ制御データを送信するテンションローラ制御データ送信手段と、
を備えた制御装置であって、
前記印刷ユニット装置は、
テンションローラ制御データを受信するテンションローラ制御データ受信手段と、
テンションローラ制御データを取得して、テンションローラを制御するテンションローラ制御手段と、
を備えたユニット装置である、
ことを特徴とする印刷システム。
【請求項２】
印刷媒体を特定する情報が対応付けられた印刷媒体の初期膜厚値と印刷媒体のヤング率とを含む物性データと、
受光波長情報を対応付けた受光量情報を含む干渉縞データと、
張力データと、
を記憶する記憶手段と、
光源光を、印刷媒体に導いて、照射する照射用光ファイバと、
印刷媒体からの干渉縞を含む光を受光して、印刷媒体張力測定装置まで、導く受光用光ファイバと、
印刷媒体からの光を受光して、干渉縞データを作成して、メモリに記録する分光器と、
印刷媒体を特定する情報の入力を受け付ける手段印刷媒体を特定する情報入力手段と、
入力された印刷媒体を特定する情報を取得して、物性データを参照して、印刷媒体を特定する情報に対応付けられた初期膜厚値とヤング率とを選択して、干渉縞データから、測定張力値を算出する測定張力値算出手段と、
前記算出された測定張力値と印刷媒体を特定する情報を含む張力データを作成して、送信する張力データ作成送信手段と、
を備えることを特徴とする印刷媒体張力測定装置。
【請求項３】
光源光を、印刷媒体に導いて、照射する照射用光ファイバと、
印刷媒体からの干渉縞を含む光を受光して、印刷媒体張力測定装置まで、導く受光用光ファイバと、
を用いて印刷媒体の張力を測定することで、印刷媒体の張力を制御して印刷する方法であって、
印刷媒体を特定する情報が対応付けられた印刷媒体の初期膜厚値と印刷媒体のヤング率とを含む物性データと、
受光波長情報を対応付けた受光量情報を含む干渉縞データと、
測定張力値と印刷媒体を特定する情報を含む張力データと、
印刷媒体を特定する情報と標準張力値を対応付けた標準張力データと、
テンションローラ制御データと、
を用いて印刷媒体の張力を測定することで、印刷媒体の張力を制御して印刷する方法であって、
印刷媒体からの光を受光して、干渉縞データを作成して、メモリに記録する分光器ステップと、
印刷媒体を特定する情報の入力を受け付ける手段印刷媒体を特定する情報入力ステップと、
入力された印刷媒体を特定する情報を取得して、物性データを参照して、印刷媒体を特定する情報に対応付けられた初期膜厚値とヤング率とを選択して、干渉縞データから、標準張力値を算出する標準張力値算出ステップと、
前記算出された測定張力値と印刷媒体を特定する情報を含む張力データを作成する張力データ作成ステップと、
張力データの印刷媒体を特定する情報を取得して、標準張力データを参照して、この印刷媒体を特定する情報に対応する標準張力値を選択して、張力データの測定張力値と前記選択した標準張力値とを比較して、テンションローラ制御データを算出するテンションローラ制御データ算出ステップと、
テンションローラ制御データを取得して、テンションローラを制御するテンションローラ制御ステップと、
を含んだ手順でなされることを特徴とする印刷媒体張力制御方法。
【請求項４】
コンピュータに組込むことによって、コンピュータを、請求項１に記載の印刷システム、または、請求項２に記載の印刷媒体張力測定装置、として動作させるコンピュータプログラム。
【請求項５】
請求項４に記載のコンピュータプログラムを記録したコンピュータ読取り可能な記録媒体。
【発明の詳細な説明】
【技術分野】
【０００１】
本発明は、ウェブ（巻取り印刷媒体、以下、印刷媒体）を印刷しているときの張力を測定する装置、および、その方法に関するものである。
【０００２】
従来から、印刷媒体の印刷工程においては、印刷媒体の張力を測定することで、テンションロールを制御して、印刷媒体に適度な張りを持たせて、印刷を行っている。
【背景技術】
【０００３】
たとえば、特許文献１では、印刷媒体の張力測定方法として、印刷媒体表面に圧縮空気を吹きかけて、非接触に圧力を加えて表面を変形させて、この変位量を光や超音波を用いて測定して、張力を求める技術が開示されている。（従来技術１）
【特許文献１】特開平５−１２６６５２号公報（２〜３ページ、図２、１４）
【発明の開示】
【発明が解決しようとする課題】
【０００４】
ところで、従来技術１では、圧縮空気を吹きかけるので、印刷媒体に力学的な外乱要素を与えることになり、印刷媒体の印刷搬送が不安定になって、蛇行したり、しわが発生したりするという問題点があった。さらに、圧縮空気を吹きかけるので、印刷媒体が、テンションロールから浮上して抵抗がなくなり、所定の張力を与えられなくなるという不具合があった。他方、テンションロール上の印刷媒体では、圧縮空気を吹きかけても、変形しないので、印刷媒体の張力を測定できないという不具合があった。また、圧縮空気を用いるために、微小領域の張力分布の測定や早い変化の張力変動を測定できないという欠点があった。
【０００５】
本発明はこのような従来技術を考慮してなされたものであって、本発明の課題は、印刷に悪影響を与えずに、印刷媒体の任意部分の微小領域の張力分布や変化の速い張力変動を測定する装置を提供することである。
【課題を解決するための手段】
【０００６】
本発明は、以下のような解決手段により、前記課題を解決する。すなわち、請求項１の発明は、印刷媒体張力測定装置と、印刷制御装置と、印刷ユニット装置と、から構成される印刷システムであって、前記印刷媒体張力測定装置は、印刷媒体を特定する情報が対応付けられた印刷媒体の初期膜厚値と印刷媒体のヤング率とを含む物性データと、受光波長情報を対応付けた受光量情報を含む干渉縞データと、測定張力値と印刷媒体を特定する情報を含む張力データと、を記憶する記憶手段と、光源光を、印刷媒体に導いて、照射する照射用光ファイバと、印刷媒体からの干渉縞を含む光を受光して、印刷媒体張力測定装置まで、導く受光用光ファイバと、 印刷媒体からの光を受光して、干渉縞データを作成して、メモリに記録する分光器と、印刷媒体を特定する情報の入力を受け付ける手段印刷媒体を特定する情報入力手段と、入力された印刷媒体を特定する情報を取得して、物性データを参照して、印刷媒体を特定する情報に対応付けられた初期膜厚値とヤング率とを選択して、干渉縞データから、測定張力値を算出する測定張力値算出手段と、前記算出された測定張力値と印刷媒体を特定する情報を含む張力データを作成して、送信する張力データ作成送信手段と、を備えた測定装置であって、前記印刷制御装置は、印刷媒体を特定する情報と標準張力値を対応付けた標準張力データと、張力データと、テンションローラ制御データと、を記憶する記憶手段と、張力データを、受信する張力データ受信手段と、張力データの印刷媒体を特定する情報を取得して、標準張力データを参照して、この印刷媒体を特定する情報に対応する標準張力値を選択して、張力データの測定張力値と前記選択した標準張力値とを比較して、テンションローラ制御データを算出するテンションローラ制御データ算出手段と、テンションローラ制御データを送信するテンションローラ制御データ送信手段と、を備えた制御装置であって、前記印刷ユニット装置は、テンションローラ制御データを受信するテンションローラ制御データ受信手段と、テンションローラ制御データを取得して、テンションローラを制御するテンションローラ制御手段と、を備えたユニット装置である、ことを特徴とする印刷システムである。
【０００７】
ここで、印刷媒体からの光（つまり、透過光、または、反射光）の干渉縞の間隔を測定することで印刷媒体（たとえば、透明フィルム）の膜厚を求めることができる。
【０００８】
請求項２の発明は、印刷媒体を特定する情報が対応付けられた印刷媒体の初期膜厚値と印刷媒体のヤング率とを含む物性データと、受光波長情報を対応付けた受光量情報を含む干渉縞データと、張力データと、を記憶する記憶手段と、光源光を、印刷媒体に導いて、照射する照射用光ファイバと、印刷媒体からの干渉縞を含む光を受光して、印刷媒体張力測定装置まで、導く受光用光ファイバと、印刷媒体からの光を受光して、干渉縞データを作成して、メモリに記録する分光器と、印刷媒体を特定する情報の入力を受け付ける手段印刷媒体を特定する情報入力手段と、入力された印刷媒体を特定する情報を取得して、物性データを参照して、印刷媒体を特定する情報に対応付けられた初期膜厚値とヤング率とを選択して、干渉縞データから、測定張力値を算出する測定張力値算出手段と、前記算出された測定張力値と印刷媒体を特定する情報を含む張力データを作成して、送信する張力データ作成送信手段と、を備えることを特徴とする印刷媒体張力測定装置である。
【０００９】
請求項３の発明は、光源光を、印刷媒体に導いて、照射する照射用光ファイバと、印刷媒体からの干渉縞を含む光を受光して、印刷媒体張力測定装置まで、導く受光用光ファイバと、を用いて印刷媒体の張力を測定することで、印刷媒体の張力を制御して印刷する方法であって、印刷媒体を特定する情報が対応付けられた印刷媒体の初期膜厚値と印刷媒体のヤング率とを含む物性データと、受光波長情報を対応付けた受光量情報を含む干渉縞データと、測定張力値と印刷媒体を特定する情報を含む張力データと、印刷媒体を特定する情報と標準張力値を対応付けた標準張力データと、テンションローラ制御データと、を用いて印刷媒体の張力を測定することで、印刷媒体の張力を制御して印刷する方法であって、印刷媒体からの光を受光して、干渉縞データを作成して、メモリに記録する分光器ステップと、印刷媒体を特定する情報の入力を受け付ける手段印刷媒体を特定する情報入力ステップと、入力された印刷媒体を特定する情報を取得して、物性データを参照して、印刷媒体を特定する情報に対応付けられた初期膜厚値とヤング率とを選択して、干渉縞データから、標準張力値を算出する標準張力値算出ステップと、前記算出された測定張力値と印刷媒体を特定する情報を含む張力データを作成する張力データ作成ステップと、張力データの印刷媒体を特定する情報を取得して、標準張力データを参照して、この印刷媒体を特定する情報に対応する標準張力値を選択して、張力データの測定張力値と前記選択した標準張力値とを比較して、テンションローラ制御データを算出するテンションローラ制御データ算出ステップと、テンションローラ制御データを取得して、テンションローラを制御するテンションローラ制御ステップと、を含んだ手順でなされることを特徴とする印刷媒体張力制御方法である。
【００１０】
請求項４の発明は、コンピュータに組込むことによって、コンピュータを、請求項１に記載の印刷システム、または、請求項２に記載の印刷媒体張力測定装置、として動作させるコンピュータプログラムである。
【００１１】
請求項５の発明は、請求項４に記載のコンピュータプログラムを記録したコンピュータ読取り可能な記録媒体である。
【発明の効果】
【００１２】
本願発明によれば、印刷媒体に外乱を与えず、安定した印刷媒体の走行状態を維持して、張力測定が行うことができる。また、印刷媒体の任意部分の微小領域の張力分布や速く変化する張力変動の測定において、精度良く、正確に、測定することが可能である。
【発明を実施するための最良の形態】
【００１３】
（実施例）
以下、図面等を参照しながら、本発明の実施の形態について、更に詳しく説明する。図１は、印刷媒体張力測定装置を備える印刷システムの概要を説明する図である。印刷媒体張力測定装置を備える印刷システム１は、印刷媒体張力測定装置１００と、印刷制御装置３００と、印刷ユニット７００と、から構成される。
【００１４】
印刷媒体張力測定装置１００は、物性データ１９１と、干渉縞データ１９３と、張力データ１９９と、照射用光ファイバ１１０と、受光用光ファイバ１２０と、を備える。
【００１５】
なお、物性データ１９１は、印刷媒体を特定する情報（たとえば、フィルム製品番号）に印刷媒体５００のヤング率と印刷媒体５００の初期膜厚値とを対応付けたデータを含んだデータである。干渉縞データ１９３は、受光波長情報（たとえば、反射光波長情報）と受光量情報（たとえば、反射光量情報）とを対応付けたデータを含んだデータである。
【００１６】
印刷制御装置３００は、標準張力データ３９１と、張力データ１９９と、テンションローラ制御データと、を備える。
【００１７】
なお、標準張力データ３９１は、印刷媒体を特定する情報と標準張力値を対応付けたデータである。
【００１８】
印刷ユニット７００は、テンションローラ７１０を備える。
【００１９】
図２は、印刷媒体張力測定装置を備える印刷システム１の大まかな処理の流れを説明する。
印刷媒体張力測定装置１００は、印刷媒体を特定する情報（たとえば、フィルムの製品番号）の入力を受け付ける（図２（１））。
【００２０】
印刷媒体張力測定装置１００の照射用光ファイバ１１０は、光源光を、印刷媒体５００に導き、照射する（同（２））。印刷媒体張力測定装置１００の受光用光ファイバ１２０は、印刷媒体５００からの、干渉縞を含む光（たとえば、透過光）を、受光して、印刷媒体張力測定装置１００に導く（同（３））。
【００２１】
印刷媒体張力測定装置１００は、干渉縞を含む光（たとえば、透過光）を受光して、干渉縞データ１９３を作成して、保持する（同（４））。印刷媒体張力測定装置１００は、印刷媒体を特定する情報を用いて、物性データ１９１から測定した印刷媒体５００の物性データを取得して、干渉縞データ１９３から、測定張力値を算出する（同（５））。印刷媒体張力測定装置１００は、算出した張力値と印刷媒体を特定する情報を含む張力データ１９９を、作成して、これを印刷制御装置３００に送信する（同（６））。
【００２２】
印刷制御装置３００は、張力データ１９９を、受信する（同（７））。印刷制御装置３００は、標準張力データ３９１を参照して、張力データ１９９の印刷媒体を特定する情報に対応する標準張力値を取得して、張力データ１９９の測定張力値と標準張力値とを比較して、テンションローラ制御データ３９９を算出する（同（８））。
印刷制御装置３００は、テンションローラ制御データ３９９を印刷ユニット７００に送信する（同（９））。
【００２３】
印刷ユニット７００は、テンションローラ制御データ３９９を受信して、テンションローラ７１０を制御する（同（１０））。
【００２４】
図３は、印刷媒体張力測定装置を備える印刷システム１の詳細な構成図である。
印刷媒体張力測定装置を備える印刷システム１は、印刷媒体張力測定装置１００と、印刷制御装置３００と、印刷ユニット７００と、から構成される。
【００２５】
印刷媒体張力測定装置１００は、照射用光ファイバ１１０と、受光用光ファイバ１２０と、分光器１３０と、印刷媒体特定情報入力手段１４０と、測定張力値算出手段１６０と、と、張力データ作成送信手段１７０と、記憶手段１９０と、を備える。記憶手段１９０は、物性データ１９１と、干渉縞データ１９３と、張力データ１９９と、を記憶する。
【００２６】
物性データ１９１は、印刷媒体識別情報が対応付けられた印刷媒体５００の初期膜厚値と印刷媒体５００のヤング率情報とを含むデータである。干渉縞データ１９３は、受光波長情報（たとえば、反射光波長情報）と受光量情報（たとえば、反射光量情報）とを対応付けたデータを含む。
【００２７】
照射用光ファイバ１１０は、光源光を、印刷媒体５００に導いて、照射する。受光用光ファイバ１２０は、印刷媒体５００からの、干渉縞を含む光（たとえば、透過光）を受光して、印刷媒体張力測定装置１００まで、導く。分光器１３０は、印刷媒体５００からの干渉縞を含む光を受光して、干渉縞データ１９３を作成して、メモリに記録する。印刷媒体特定情報入力手段１４０は、印刷媒体識別情報の入力を受け付ける。測定張力値算出手段１６０は、入力された印刷媒体を特定する情報を取得して、物性データを参照して、印刷媒体を特定する情報に対応付けられた印刷媒体の初期膜厚値と印刷媒体のヤング率とを選択して、干渉縞データから、測定張力値を算出する。
張力データ作成送信手段１７０は、前記算出された測定張力値と印刷媒体を特定する情報を含む張力データ１９９を作成して、送信する。
【００２８】
印刷制御装置３００は、張力データ受信手段３８０と、テンションローラ制御データ算出手段３２０と、テンションローラ制御データ送信手段３７０と、記憶手段３９０と、を備える。記憶手段３９０は、標準張力データ３９１と、張力データ１９９と、テンションローラ制御データ３９９と、を記憶する。
【００２９】
標準張力データ３９１は、印刷媒体を特定する情報と標準張力値を対応付けたデータである。
【００３０】
張力データ受信手段３８０は、張力データ１９９を、受信する。テンションローラ制御データ算出手段３２０は、張力データ１９９の印刷媒体を特定する情報を取得して、標準張力データ３９１を参照して、この印刷媒体を特定する情報に対応する標準張力値を選択して、張力データ１９９の測定張力値と前記選択した標準張力値とを比較して、テンションローラ制御データ３９９を算出する。テンションローラ制御データ送信手段３７０は、テンションローラ制御データ３９９を送信する。
【００３１】
印刷ユニット７００は、テンションローラ制御データ受信手段７８０と、テンションローラ制御手段７２０と、を備える。
【００３２】
テンションローラ制御データ受信手段７８０は、テンションローラ制御データ３９９を受信する。テンションローラ制御手段７２０は、テンションローラ制御データ３９９を取得して、テンションローラ７１０を制御する。
【００３３】
照射用光ファイバ１１０と、受光用光ファイバ１２０と、分光器１３０と、印刷媒体特定情報入力手段１４０と、測定張力値算出手段１６０と、と、張力データ作成送信手段１７０と、張力データ受信手段３８０と、テンションローラ制御データ算出手段３２０と、テンションローラ制御データ送信手段３７０と、テンションローラ制御データ受信手段７８０と、テンションローラ制御手段７２０と、は、コンピュータプログラムである。物性データ１９１と、干渉縞データ１９３と、張力データ１９９と、テンションローラ制御データ３９９と、は、コンピュータプログラムが可読なデータである。記憶手段１９０と、記憶手段３９０と、は、メモリである。
【００３４】
図４は、物性データ１９１の形式を説明する図である。物性データ１９１の項目は、印刷媒体特定情報と、印刷媒体初期膜厚値と、印刷媒体ヤング率値と、から構成されている。
印刷媒体特定情報とは、印刷媒体５００を特定する情報である。印刷媒体初期膜厚値とは、印刷媒体５００の膜厚の初期値である。印刷媒体ヤング率値とは、印刷媒体５００の弾性ヤング率の値である。印刷媒体特定情報は、印刷媒体初期膜厚値と印刷媒体ヤング率値とに対応付けられている。
【００３５】
図５は、干渉縞データ１９３の説明図である。干渉縞データ１９３のグラフは、横軸が波長を、縦軸が受光強度を、表している。干渉縞データ１９３は、フィルムからの光（たとえば、透過光）による干渉縞が、受光強度の変化として、観測されたデータである。
【００３６】
図５には、干渉縞の測定範囲には、最初の極大点（波長＝５４４ｎｍ）から最後の極大点（６７３ｎｍ）までの極大点の個数が１３個あるグラフが例示されている。ここで、極大点の個数は、極大周期の回数で数える。
【００３７】
図６は、張力の算出式の説明図である。測定点の張力の算出式は、「 σ ＝ Ｅ× ｄ × ｎ ( 1 / λ1 − 1 / λ2 ） ／ Δｍ 」である。ここで、σとは、測定点の張力であり、Ｅとは、フィルムのヤング率であり、ｄとは、フィルムの初期膜厚値であり、Δｍとは、測定範囲の干渉縞の極大点の数（極大周期の回数）であり、ｎとは、フィルムの屈折率であり、λ1とλ2とは、測定範囲の干渉縞の最初と最後の極大点の波長値である。
【００３８】
たとえば、ポリエチレンの「初期膜厚値＝１．３ｍｍ」、「測定したポリエチレンの膜厚値＝１．０ｍｍ」のときは、「伸び率＝０．１３％」であり、「ポリエチレンのヤング率＝０．７６Ｇｐａ」であるので、「ポリエチレンに加えられた張力＝０．１ｋｇ /ｍｍ2」である。
【００３９】
図７は、張力測定の詳細な説明図である。印刷媒体５００は、テンションローラ７１０（フィーダローラ）により、張力が与えられている。印刷媒体５００の張力測定点には、照射用光ファイバ１１０から光源光が照射されている。受光用光ファイバ１２０は、透過光を受光して、印刷媒体張力測定装置１００に、導く。
【００４０】
このように、光ファイバを用いることで、測定場所の空間が狭くても、測定可能である。
【００４１】
ここで、受光用光ファイバ１２０は、印刷媒体５００と、接近させた状態で固定しておくことが重要である。また、受光用光ファイバ１２０の視野を絞ることで、微小領域の張力測定が可能となる。
【００４２】
図８は、張力分布の測定方法の説明図である。光ファイバは、フィルムの搬送方向と直角に移動させることで、フィルム幅方向の張力分布を測定することができる。
【００４３】
印刷媒体の幅方向における張力分布を、細かい測定範囲で求めることができるので、張力の微調整が可能になる。
【００４４】
次に、印刷媒体の反射光を測定して、印刷媒体の張力を測定する例を説明する。
（変形例）
図９は、反射光による印刷媒体張力測定装置を有する印刷システム２の概要を説明する図である。
反射光による印刷媒体張力測定装置を備える印刷システム２は、印刷媒体張力測定装置１００と、印刷制御装置３００と、印刷ユニット７００と、から構成される。
【００４５】
印刷媒体張力測定装置１００は、Ｙ字型光ファイバを備える。Ｙ字型光ファイバとは、照射用光ファイバ１１０と、受光用光ファイバ１２０と、を束ねて、光源光の照射部と反射光の受信後部が一体になった光ファイバである。干渉縞データ１９３は、反射光波長情報と反射光量情報とを対応付けたデータを含んだデータである。その他の印刷媒体張力測定装置１００の構成は、図１の印刷媒体張力測定装置を有する印刷システム１と同じである。
【００４６】
印刷制御装置３００と、印刷ユニット７００と、の構成は、図１の印刷媒体張力測定装置を有する印刷システム１と同じである。
【００４７】
図１０は、反射光による印刷媒体張力測定装置を備える印刷システム２の大まかな処理の流れを説明する。
印刷媒体張力測定装置１００は、印刷媒体を特定する情報（たとえば、フィルムの製品番号）の入力を受け付ける（図１０（１））と（図１０（２））とは、（図２（１））と（図２（２））と同じである。印刷媒体張力測定装置１００の受光用光ファイバ１２０は、印刷媒体５００を反射した、干渉縞を含む反射光を、受光して、印刷媒体張力測定装置１００に導く（図１０（３））。
【００４８】
印刷媒体張力測定装置１００は、干渉縞を含む反射光を受光して、干渉縞データ１９３を作成して、保持する（図１０（４））。（図１０（５））と（図１０（６））とは、（図２（５））と（図２（６））と同じである。
【００４９】
印刷制御装置３００と、印刷ユニット７００と、の処理は、図２の処理と同じである。
【００５０】
図１１は、Ｙ字型ファイバによる反射光の測定の説明図である。
Ｙ字型ファイバは、光源光を、印刷媒体５００に導く照射用光ファイバ１１０と、印刷媒体５００から反射した干渉縞を含む反射光を受光する受光用光ファイバ１２０と、を、束ねている。照射用光ファイバ１１０の光源側と、受光用光ファイバ１２０の分光器側とは、離して、光源光照射部と反射光受信後部をまとめて一本にして、Ｙ字型状となっている。
【００５１】
なお、Y字型光ファイバを用いることで、照射用光ファイバ１１０と受光用光ファイバ１２０とを１本の光ファイバで兼ねているので、光ファイバの操作性が煩雑にならないという利点がある。
【００５２】
以上詳しく説明したように、本願発明によれば、印刷媒体に外乱を与えず、安定した印刷媒体の走行状態を維持して、張力測定が行うことができた。
また、印刷媒体の任意部分の微小領域の張力分布や速く変化する張力変動の測定において、精度良く、正確に、測定することが可能になった。
【図面の簡単な説明】
【００５３】
【図１】印刷媒体張力測定装置を有する印刷システム１の概要
【図２】印刷媒体張力測定装置を有する印刷システム１の大まかな処理の流れ
【図３】印刷媒体張力測定装置を有する印刷システム１の詳細な構成図
【図４】物性データの形式
【図５】干渉縞データ１９３の説明図
【図６】測定膜厚の算出式の説明図
【図７】張力測定の詳細な説明図
【図８】張力分布の測定方法
【図９】反射光による印刷媒体張力測定装置を有する印刷システム２の概要
【図１０】反射光による印刷媒体張力測定装置を備える印刷システム２の大まかな処理の流れ
【図１１】Ｙ字型ファイバによる反射光の測定の説明図
【符号の説明】
【００５４】
１  印刷媒体張力測定装置を備える印刷システム
１００印刷媒体張力測定装置
１１０  照射用光ファイバ
１２０  受光用光ファイバ
１３０  分光器
１４０  印刷媒体特定情報入力手段
１６０  測定張力値算出手段
１７０  張力データ作成送信手段
１９０  記憶手段
１９１  物性データ
１９３  干渉縞データ
１９９  張力データ
３００  印刷制御装置
３８０  張力データ受信手段
３２０  テンションローラ制御データ算出手段
３７０  テンションローラ制御データ送信手段
３９０  記憶手段
１９９  張力データ
３９９  テンションローラ制御データ
７００  印刷ユニット
７８０  テンションローラ制御データ受信手段
７２０  テンションローラ制御手段
【図１】
2007246184.tif 000003
【図２】
2007246184.tif 000004
【図３】
2007246184.tif 000005
【図４】
2007246184.tif 000006
【図５】
2007246184.tif 000007
【図６】
2007246184.tif 000008
【図７】
2007246184.tif 000009
【図８】
2007246184.tif 000010
【図９】
2007246184.tif 000011
【図１０】
2007246184.tif 000012
【図１１】
2007246184.tif 000013